(57)【要約】      （修正有）【課題】高圧ランプが破裂しているときには破片飛散を抑制でき、破裂していないときには再点灯までの待ち時間が従来と同等にできる高圧ランプ制御方法を提供する。【解決手段】高圧ランプ点灯制御方法は、ａ）ランプ消灯の要因を保存する手順、ｂ）ランプ点灯時に手順ａ）で保存したランプ消灯の要因を読み出す手順、ｃ）読み出した要因が「ランプ失灯」の場合は、ランプ点灯、冷却ファン回転の順で、それ以外の場合は、冷却ファン回転、ランプ点灯の順に動作させる手順、を含む。【選択図】図３
2012078428.tif 000002
【特許請求の範囲】
【請求項１】
次の手順を含むことを特徴とするランプ点灯制御方法。
ａ）ランプ消灯の要因を保存する手順
ｂ）ランプ点灯時に手順ａ）で保存したランプ消灯の要因を読み出す手順
ｃ）読み出した要因が「ランプ失灯」の場合は、ランプ点灯、冷却ファン回転の順で、それ以外の場合は、冷却ファン回転、ランプ点灯の順に動作させる手順
【請求項２】
高圧ランプからの光を光源として映像を投射する画像投影装置であって、
前記ランプ消灯の要因を保存する記憶手段と、前記記憶手段に保存されたランプ消灯の要因を読み出し、読み出した要因が「ランプ失灯」の場合は、ランプ点灯、冷却ファン回転の順で、それ以外の場合は、冷却ファン回転、ランプ点灯の順に動作指令を生成する制御手段とを備えることを特徴とする画像投影装置。
【発明の詳細な説明】
【技術分野】
【０００１】
本発明は、高圧ランプからの光を光源として映像を投射するプロジェクタ等の画像投影装置に係り、光源となるランプの点灯制御方法に関する。
【背景技術】
【０００２】
高圧ランプ（以下、単にランプともいう。）を光源として映像を投影するプロジェクタ等の画像投影装置はランプ点灯時と点灯中の温度上昇に起因する装置本来の性能の低下を防止するために温度センサと冷却ファンとを装置内に設けて、温度センサからの温度情報に基づいて冷却ファンを回転させ、この回転により生じた冷却風を所定の部位に吹き付けて所定の温度を維持するようにしている。
【０００３】
また、ランプの特性として所定の温度以下でないとランプバルブ内部の圧力が低下しないため放電が行われずランプは点灯しない。このため、ランプ消灯後直ぐに再点灯させたい場合はランプが所定の温度になるまで数分間の待ち時間が生じる。この待ち時間を短縮するため、冷却ファンによる送風でランプの冷却を早めるようにしている。
このように、ランプ点灯制御においてはランプの点灯と冷却ファンの回転は一体的に実行されている。
【０００４】
このようなランプ点灯制御方法には特許文献１に記載されているような冷却ファン起動後に光源ランプ点灯を行う方法と特許文献２に記載されているような光源ランプ点灯後に冷却ファンの回転を行う方法とがある。又、特許文献３には光源ランプの温度等で点灯前に冷却ファンの起動を制御する技術も公開されている。
【先行技術文献】
【特許文献】
【０００５】
【特許文献１】特開２００４−１２７７８
【特許文献２】特開２００６−３２１１１
【特許文献３】特開平１１−１０９５０４
【発明の概要】
【発明が解決しようとする課題】
【０００６】
特許文献１に記載されているようなランプ点灯制御方法は、誤操作等によりランプを消灯させてしまい、すぐに再点灯したいような場合にもかかわらず、ランプが高温状態にあって所定の温度に低下するまで再点灯できないような場合に、冷却ファンを回転させることでランプの温度低下を可能な限り早めることでランプの再点灯までの時間を短くできるという点で有用な方法である。
【０００７】
ところが、ランプは消耗品であり、ランプ寿命の末期には点灯中に破裂する危険がある。したがって、前記のような手順のランプ点灯制御方法では、ランプが破裂している場合にはランプの破片が散乱し、この破片が画像投影装置内部の損傷を引き起こしたり、冷却ファンによる送風で装置外に飛散し、この破片により使用者を傷付けたり、周辺に置かれた機材を損傷する等安全上の欠点があった。
【０００８】
このような安全上の問題に対処するために従来ランプ前方を透明な保護材でカバーする手法が用いられている。しかしランプを冷却するためランプ全体を覆う事は不可能であり、細かい破片はカバーの隙間より装置内部に出てしまい十分な対策とはなっていない。
【０００９】
このような問題に対処するには、特許文献２に記載されているようなランプ点灯を確認した後に冷却ファンを回転させるランプ点灯制御方法が考えられる。
【００１０】
しかしながら、このランプ点灯制御方法ではランプが点灯しない限り冷却ファンは回転しないので、前記のように誤操作等によりランプを消灯させてしまい、すぐにランプを再点灯させようとしても、ランプは所定の温度を超えていることもあり、所定の温度以下になるまでランプは点灯しない。しかも冷却ファンは回転しないのでランプの温度は自然冷却に任されるのですぐには所定の温度に低下せず、待ち時間を短縮することはできないので使い勝手が悪いという欠点があった。
【００１１】
また、特許文献３に記載されているようにランプの温度等で点灯前に冷却ファンの起動を制御する方法の採用も考えられるが、このランプ点灯制御方法では、冷却ファンの起動前にランプの状態が不明のためランプが破裂していた場合に破片が外部に飛散するので、前述のような安全性上の欠点があった。
【００１２】
本発明は、上記事情に鑑みてなされたものであり、冷却ファンの回転とランプ点灯の順序をランプ消灯の要因に基づいて決定することで安全性が高く使い勝手にも悪影響のないランプ点灯制御方法を提供することと、このようなランプ点灯制御方法を直接使用する画像投影装置を提供することを目的とする。
【課題を解決するための手段】
【００１３】
本発明になるランプ点灯制御方法は、次の手順を含むことを特徴とするものである。
ａ）ランプ消灯の要因を保存する手順
ｂ）ランプ点灯時に手順ａ）で保存したランプ消灯の要因を読み出す手順
ｃ）読み出した要因が「ランプ失灯」の場合は、ランプ点灯、冷却ファン回転の順で、それ以外の場合は、冷却ファン回転、ランプ点灯の順に動作させる手順
【００１４】
本発明になる画像投影装置は、ランプ消灯の要因を保存する記憶手段と、この記憶手段に保存されたランプ消灯の要因を読み出し、読み出した要因が「ランプ失灯」の場合は、ランプ点灯、冷却ファン回転の順で、それ以外の場合は、冷却ファン回転、ランプ点灯の順に動作指令を生成する制御手段とを備えることを特徴とするものである。
【発明の効果】
【００１５】
本発明によれば、ランプ点灯時に保存されているランプ消灯の要因応じて冷却ファンの回転とランプの点灯の動作を入れ替えることとしたのでランプ点灯時の待ち時間を従来と同等に保ちながら光源ランプ破裂時の破片飛散を防止することができるランプ点灯制御方法を提供することができる。また、このようなランプ点灯制御方法を直接使用することができる画像投影装置を提供することができる。
【図面の簡単な説明】
【００１６】
【図１】本発明になる画像投影装置で、ランプ点灯制御に関連する部分を示す要部ブロック図である。
【図２】ランプ消灯の要因保存手順を示す概略フローチャート図である。
【図３】本発明になるランプ点灯制御手順を示す概略フローチャート図である。
【図４】図３中のランプ点灯処理手順を示すフローチャート図である。
【図５】図３中の冷却ファン起動処理手順を示すフローチャート図である。
【発明を実施するための形態】
【００１７】
次に本発明について図面を用いて詳細に説明する。
図１は、本発明になる画像投影装置で、ランプ点灯制御に関連する部分を示す要部ブロック図、図２はランプ消灯の情報保存手順を示す概略フローチャート図、図３は本発明になるランプ点灯制御手順を示すフローチャート図、図４は図３のランプ点灯手順中のランプ点灯処理手順を示すフローチャート図、図５は図３のランプ点灯制御手順中の冷却ファン起動処理手順を示すフローチャート図である。
【００１８】
図１に示すように画像投影装置１０はメイン電源１、ランプ電源２、高圧ランプ３、制御部４、温度センサ５、冷却ファン６、記憶部７で構成される。
メイン電源１は図示しない商用電源を受けてランプ電源２と制御部４とで用いられる電源を生成し、それぞれに供給する。ただし、ランプ電源２への電力は、高圧ランプ３点灯時に制御部４からの信号で供給・遮断を制御される。
【００１９】
ランプ電源２はメイン電源１から供給される電源を受けて高圧ランプ３を駆動する電源を生成し、制御部４からの点灯指令により高圧ランプ３に供給する。ランプ電源２は高圧ランプ３へ供給する電流を監視して高圧ランプ３の点灯の成否を判断してこの結果を制御部４に送出する。また、ランプ電源２は制御部４からの消灯指令により高圧ランプ３への電力を遮断し、前述のように供給電流を監視して高圧ランプ３の消灯の成否を判断し、その結果を制御部４に送出する。また、ランプ電源２は制御部４から消灯指令がないときに高圧ランプ３の消灯を検出した場合にも、高圧ランプ３の消灯を制御部４に送出する。
【００２０】
高圧ランプ３はこの駆動電源を受けて点灯し、公知の手段により画像を拡大投影するときの光源となる。
【００２１】
温度センサ５は高圧ランプ３付近等画像投影装置１０の内部に複数設置され、それぞれの部位の温度を検出して制御部４に送出する。制御部４は温度センサ５からの温度情報に基づいてそれぞれの部位の温度を所定の温度に保持するために冷却ファンの回転数を設定して冷却ファン６の回転を制御する。冷却ファン６は画像投影装置１０の内部の複数設けられ、それぞれの部分を冷却する。また、このときの回転情報を制御部４に送出する。
【００２２】
制御部４は前述のランプ電源２、冷却ファン６の制御を行うと共にその制御の成否を結果として入力する。また、温度センサ５からそれぞれの部位の温度情報も入力する。
そして、高圧ランプ３が点灯中に消灯した場合は、何に起因して消灯したのか、その要因を情報として記憶部７に保存する。そして、高圧ランプ３を点灯するときにこの情報を用いて冷却ファン６の起動処理を行ってから高圧ランプ３の点灯処理を行うか、または高圧ランプ３の点灯処理を行ってから冷却ファン６の起動処理を行うか決定する。
記憶部７は本発明に係る高圧ランプ３消灯の要因を保存する他、高圧ランプ３の点灯時間などの情報を保存する。この記憶部７は、電源が切断されても情報が消滅しないように不揮発性のメモリを用いるのがよい。
【００２３】
次に、高圧ランプ３消灯の要因とその保存について説明する。
この高圧ランプ３の点灯中の消灯は次のような場合に起きる。
１）使用者の消灯操作等通常の手順で高圧ランプ３を消灯させた場合である。
２）画像投影装置１０の外部からの電力が遮断された場合である。
３）制御部４が異常を検出して安全上高圧ランプ３を消灯させる必要があると判断した場合である。異常は、例えば温度センサ５からの温度情報が所定の温度を超えた場合や、冷却ファンの回転が所定の範囲外の場合など複数ある。
４）これらの３つの場合に当てはまらない状況で高圧ランプ３が消灯した場合である（このような高圧ランプ３の消灯をランプ失灯ともいう）。
【００２４】
１）〜３）の場合は制御部４からの制御により高圧ランプ３を消灯させたものであるが、４）の場合は制御部４からの制御によるものではなく、原因不明で高圧ランプ３が消灯してしまっており、特定はできないが高圧ランプ３が破裂したために消灯した可能性がある。このような、１）〜４）の場合について制御部４は高圧ランプ３の消灯の要因をそれぞれの場合についてコード化して記憶部７に保存する。
【００２５】
次に高圧ランプ３消灯の要因を保存する手順について図２を用いて説明する。
前記１）〜３）の場合は制御部４がランプ消灯制御を行う。すなわち制御部４はランプ電源２に対しランプ消灯指令を送出する（ステップＳ２０１）。ランプ電源２は高圧ランプ３への電力を遮断してランプを消灯させ、成否を制御部４へ送出する。制御部４この結果を受けて、ランプが消灯したことを確認した場合は（ステップＳ２０２のＹＥＳ）、記憶部７に消灯の要因を保存する（ステップＳ２０３）。
保存する要因はコード化され、前記１）の場合は正常終了のコード、前記２）の場合は電源断のコード、前記３）の場合は各々の異常に対応するコードを保存する。
ランプが消灯しない場合（ステップＳ２０２のＮＯ）は消灯不能に対応するコードを記憶部７に保存した後（ステップＳ２０４）、ランプ電源に供給している電力を遮断する（ステップＳ２０５）。
【００２６】
４）の場合は制御部４がランプ電源２に対して消灯指令を出力していないにもかかわらずランプ電源２から高圧ランプ３消灯の信号を受信した場合であり、既に高圧ランプ３は消灯しているので消灯制御は行わない。この場合制御部４は記憶部７にランプ失灯のコードを保存した後にランプ失灯に対応するエラー処理を行う。
【００２７】
次に、本発明になるランプ点灯制御方法について図３を使用して説明する。
使用者の点灯操作が制御部４に入力されると、制御部４は記憶部７より前回の高圧ランプ３消灯の要因を読み出す（ステップＳ３０１）。
【００２８】
[ランプ失灯の場合の手順]
高圧ランプ３消灯の要因がランプ失灯の場合は（ステップ３０２のＹＥＳ）、ランプが破裂している可能性があり冷却ファンを回転させると破片が飛散する恐れがある。このため冷却ファンを回転させる前にランプ点灯処理を実施してランプ点灯の可否を確認する（ステップＳ３０３）。
【００２９】
[ランプ点灯処理]
ランプ点灯処理について図４を用いて説明する。
【００３０】
制御部４はランプ電源２にランプ点灯指令を出力する（ステップＳ４０１）。この指令を受けて、前述のようにランプ電源２は所定の電源を生成して高圧ランプ３に供給する。そして高圧ランプ３への供給電流を監視し、この電流が所定の値に到達したか否かで高圧ランプ３の点灯の成否を判断する（ステップＳ４０２）。ここで高圧ランプ３が点灯したと判断した場合はランプ点灯処理を完了する（ステップＳ４０２のＹＥＳ）。
【００３１】
一方、高圧ランプ３が点灯していないと判断した場合は、再度高圧ランプ３の点灯処理を行う（ステップＳ４０２のＮＯ）。この高圧ランプ３の点灯処理の繰り返しは、予め定められた失敗回数（ランプ点灯処理に失敗した回数）だけ、予め定められた時間経過後に実行される（ステップＳ４０３、ステップＳ４０４）。そして、予め定められた失敗回数の範囲内に高圧ランプ３が点灯したと判断した場合はランプ点灯処理を完了する（ステップＳ４０３のＹＥＳ）。
【００３２】
このようにするのは、高圧ランプ３が所定の温度以下にならないと点灯しないことから、所定の時間経過後に所定の回数分だけ点灯指令を繰り返すことで高圧ランプ３に破裂などの異常がないにもかかわらず点灯しない場合と実際に破裂等の異常がある場合とを区別するためである。
【００３３】
ところで、高圧ランプ３の消灯の要因がランプ破裂の場合は当然ランプは点灯しないから、失敗回数は所定の回数を超える（ステップＳ４０４のＮＯ）。そうするとエラー処理に移行するので（ステップＳ４０６）、ランプ点灯処理は完了しないから冷却ファン起動処理（図３のステップＳ３０４）には移行しない。従って、冷却ファン６は回転しないので高圧ランプ３が破裂して破損が存在するとしても飛散することはない。
【００３４】
[ランプ失灯以外の場合の手順]
高圧ランプ３消灯の要因がランプ失灯以外の場合は（図３ステップＳ３０２のＮＯ）、ランプは破裂していないと判断できる。このため、従来どおり冷却ファン６の回転を先に実行するために冷却ファン起動処理を実行する（図３のステップＳ３０４）。
【００３５】
［冷却ファン起動処理］
冷却ファン起動処理について図５を用いて説明する。
制御部４は温度センサ５から温度情報を読み取り（ステップＳ５０１）、読み取った温度情報に適応する冷却を行うように冷却ファン６の回転数を設定し（ステップＳ５０２）、この回転数で冷却ファン６が回転するように制御する。すなわち、高圧ランプ３の温度が高い場合は冷却ファン６の回転数を高くし、温度が低い場合は冷却ファンの回転数を低くする。冷却ファン６はこの制御により回転し、回転数を制御部４に送出するので、制御部４はこの回転数と設定した回転数とを比較し、設定した回転数の範囲内か否か判断する（ステップＳ５０３）。
【００３６】
ここで範囲内と判断した場合は（ステップＳ５０３のＹＥＳ）、そのまま冷却ファン６を回転させながら、高圧ランプ３の点灯処理に移行する（図３のステップＳ３０３）。
一方、範囲外と判断した場合は（ステップＳ５０３のＮＯ）、エラー処理に移行し（ステップＳ５０４）、ランプ点灯処理には移行しない。
【００３７】
ランプ点灯処理に移行すると、前述のランプ点灯処理が実行される。
従って、高圧ランプ３消灯後すぐに再点灯した場合などで高圧ランプ３が所定の温度以上の高温のために一回の点灯処理では点灯しない場合であっても冷却ファン６が温度に適応した回転数で回転することに伴う冷却風により高圧ランプ３を冷却するという手順は従来と同様であるから再点灯に要する待ち時間は従来と同じになる。
【００３８】
以上説明したように、高圧ランプ３が破裂して破片が存在するような場合は冷却ファン６が回転しないので破片が飛散することはない。また、高圧ランプ３に異常がなく、一回の点灯処理または所定の失敗回数の範囲内での点灯処理で高圧ランプ３が点灯すれば、高圧ランプ３の点灯までの時間は従来と同じになる。
【符号の説明】
【００３９】
１  メイン電源
２  ランプ電源
３  高圧ランプ
４  制御部
５  温度センサ
６  冷却ファン
７  記憶部
【図１】
2012078428.tif 000003
【図２】
2012078428.tif 000004
【図３】
2012078428.tif 000005
【図４】
2012078428.tif 000006
【図５】
2012078428.tif 000007